(57)【特許請求の範囲】
【請求項１】
給水配管と、複数の排出口を有し前記給水配管に接続されるヘッダと、該ヘッダの排出口に配管用可撓管を介して接続されるスプリンクラヘッドとを備えたスプリンクラ消火設備において、
前記ヘッダに、突設された固定腕を設け、該固定腕を天井下地材に当接して固定金具により前記ヘッダを天井下地材に固定することを特徴とするスプリンクラ消火設備。
【請求項２】
前記スプリンクラヘッドが一方の接続口に接続されるエルボを設け、該エルボを前記天井下地材に前記固定金具と同じ構造の固定金具により固定することを特徴とする請求項１記載のスプリンクラ消火設備。
【発明の詳細な説明】
【０００１】
【発明の属する技術分野】
本発明は、スプリンクラ消火設備に係り、さらに詳しくは、天井裏に設置された給水配管に連結され、先端部にスプリンクラヘッドが取付けられた複数の可撓管が接続されるヘッダを備えたスプリンクラ消火設備に関するものである。
【０００２】
【従来の技術】
ヘッダを備えたスプリンクラ消火設備の一例として、特公平７−１１４８１９号公報に記載された発明がある。この発明は、主配管から分岐した補助配管にニップルを垂下させてその下端部に多口継手（ヘッダ）を接続し、この多口継手の各排出口にフレキシブルジョイント管（可撓管）の一端を接続して他端にスプリンクラヘッドを取付けると共に、フレキシブルジョイント管を天井裏にはわせて弛緩させた状態で配設したものである。
【０００３】
【発明が解決しようとする課題】
上記のような従来技術においては、スプリンクラヘッドはフレキシブルジョイント管を介して多口継手に接続されているので、スプリンクラヘッドの設置場所を変更する必要が生じたときは容易に対処することができる。しかしながら、多口継手は、補助配管にニップルを介して剛接合されており、その位置が固定されているため移動することができず、設置場所を変更しようとする場合は、補助配管に対するニップルの接続位置を変えなければならない。
【０００４】
また、多口継手とスプリンクラヘッドはフレキシブルジョイント管で接続されており、かつフレキシブルジョイント管を天井裏面にはわせて弛緩させた状態で配設しているため、放水時などにフレキシブルジョイント管に圧力がかかると多口継手が動揺したり、フレキシブルジョイント管がいわゆる暴れを生じるなどして各継手部に過大な力がかかることがあり、また、フレキシブルジョイント管への充水時に天井面材に大きな負荷がかかるなど、好ましくない。
【０００５】
さらに、従来は、給水配管は通常天井スラブに取付けた吊り金具により固定されており、この吊り金具は天井スラブから垂直におろされているので、給水配管の位置決め等の作業が面倒である。
【０００６】
本発明は、上記の課題を解決するためになされたもので、ヘッダ及びスプリンクラヘッドの位置決め及び移動が容易であり、放水時などに配管用可撓管が暴れたり充水時に天井面材に大きな負荷がかかったりするおそれのないスプリンクラ消火設備を得ることを目的としたものである。
【０００７】
【課題を解決するための手段】
本発明は、給水配管と、複数の排出口を有し前記給水配管に接続されるヘッダと、該ヘッダの排出口に配管用可撓管を介して接続されるスプリンクラヘッドとを備えたスプリンクラ消火設備において、前記ヘッダに突設された固定腕を設け、該固定腕を天井下地材に当接して固定金具により前記ヘッダを天井下地材に固定するようにしたものである。
【０００８】
また、前記スプリンクラヘッドが一方の接続口に接続されるエルボを設け、該エルボを前記天井下地材に前記固定金具と同じ構造の固定金具により固定するようにしたものである。
【００１１】
【発明の実施の形態】
［実施形態１］
図１は本発明の実施形態１に係るスプリンクラ消火設備の要部を示す説明図である。
図において、１は天井スラブ、２は天井スラブ１の下方において四方八方にはりめぐらされ、天井材や照明器具等の天井構成部品を支持するチャンネルその他の天井部材（以下、天井下地材という）、３は天井下地材２に直接又は金具等を介して取付けられた天井面材で、天井スラブ１と天井面材３との間には比較的狭い空間部５が形成されている。
【００１２】
１１は給水配管で、空間部５の上方において天井スラブ１から垂下した吊り金具（図示せず）に固定され、ほぼ水平に設置されている。１２は給水配管１１に接続されたほぼＴ字状の分岐管で、接続口１３を備えている。
１５はほぼ箱状のヘッダで、図２に示すように、上面中央部には接続口１６が設けられており、四辺の側壁には後述の配管用可撓管が接続される排出口１７ａ，１７ｂ，１７ｃ，１７ｄ（以下、単に１７と記すことがある）が設けられている。１８は下面中央部から突設された固定腕である。
【００１３】
２１は例えば合成樹脂からなり、分岐管１２とヘッダ１５を接続する可撓管（図には網目状に示してある）で、両端部には継手２２ａ，２２ｂが設けられている。なお、この可撓管２１には、ステンレス製などの金属製のものを使用してもよい。２３は例えば合成樹脂からなる配管用可撓管（図には網目状に示してある）で、両端部には継手２４ａ，２４ｂが設けられている。
２５は両端部に接続口２６ａ，２６ｂを有するエルボで、一方の接続口２６ｂにはスプリンクラヘッド２７が接続される。
【００１４】
次に、本実施形態の施工の一例について説明する。なお、施工にあたっては、天井スラブ１の下方には所定の間隔（例えば、４５０〜５００ｍｍ）で天井下地材２が設置されており、また、分岐管１２が設けられた給水配管１１は、天井スラブ１から垂下した吊り金具（図示せず）に取付けられているものとする。
【００１５】
先ず、分岐管１２の下方において天井下地材２の上方にヘッダ１５を位置させ、その近傍に設置された天井下地材２にヘッダ１５の固定腕１８を当接し、固定手段である例えば固定金具３１により、ヘッダ１５を天井下地材２に固定する。この場合、固定腕１８に代えて、ヘッダ１５の接続口１６又は排出口１７を固定金具３１により天井下地材２に固定してもよい。
また、エルボ２５を、スプリンクラヘッド２７が設置される近傍の天井下地材２又はその他の部材に、固定金具３１により固定する。
【００１６】
ついで、分岐管１２の接続口１３とヘッダ１５の接続口１６に、可撓管２１の継手２２ａ，２２ｂをそれぞれ接続し、ヘッダ１５を分岐管１２に接続する。このとき、継手２２ａ，２２ｂを含む可撓管２１を、分岐管１２の接続口１３とヘッダ１５の接続口１６との間の距離より長く形成して余裕を持たせておけば、ヘッダ１５が分岐管１２の直下になくても、両者を容易に接続することができる。
【００１７】
次に、配管用可撓管２３を天井下地材２の上に載置し、その継手２４ａ，２４ｂをヘッダ１５の排出口１７ａ及びエルボ２５の接続口２６ａに接続する。そして、配管用可撓管２３をその近傍の天井下地材２に、固定手段である例えば結束バンド３２により固定する。以下、同様にして、ヘッダ１５の各排出口１７ｂ〜１７ｄと、所定の位置でそれぞれ天井下地材２に固定されたエルボ２５の接続口２６ａとを配管用可撓管２３で固定し、各配管用可撓管２３を近傍の天井下地材２に結束バンド３２により固定する。
【００１８】
このようにして、天井スラブ１と天井下地材２との間に給水配管１１、ヘッダ１５、可撓管２１、配管用可撓管２３及びエルボ２５を配置したのち、天井下地材２に直接又は取付金具等を介して天井面材３を取付ける。このとき、天井面材３の所定の位置に設けた取付穴４からエルボ２５の下端部が露出しているので、この接続口２６ｂにスプリンクラヘッド２７を螺入して取付ける。
【００１９】
上記のように構成した本実施形態によれば、ヘッダ１５とエルボ２５とは配管用可撓管２３で接続されているので、スプリンクラヘッド２７の設置場所を容易に変えうることは勿論、分岐管１２とヘッダ１５とを可撓管２１で接続したので、ヘッダ１５及びエルボ２５（スプリンクラヘッド２７）の位置決めが容易であり、また、分岐管１２の位置を変えることなく、ヘッダ１５を移動させることができる。
【００２０】
また、配管用可撓管２３を天井下地材２上に載置して結束バンド３２で天井下地材２に固定したので、放水時などに配管用可撓管２３に圧力が加わっても、ヘッダ１５やスプリンクラヘッド２７が動揺したり、配管用可撓管２３が暴れ出すおそれがなく、このため、各接続部に過剰な力が加わることがない。さらに、配管用可撓管２３は充水時にも天井面材３に接触しないので、天井面材３に大きな負荷がかかることはない。
【００２１】
上記の説明では、ヘッダ１５を箱状に形成してその側壁にそれぞれ排出口１７を設けた場合を示したが、平面形状を三角形以上の多角形又は円形状に形成してその側壁に排出口１７を設けてもよい。
また、ヘッダ１５を比較的高さの低い箱状に形成して各側壁に１個の排出口１７を設けた場合を示したが、例えば、図３に示すように、高さを高くして各側壁にそれぞれ複数個の排出口１７を設けてもよく、この場合、比較的高さの低いヘッダ１５を積層して構成してもよい。
【００２２】
さらに、ヘッダ１５の下面に固定腕１８を設け、この固定腕１８及びエルボ２５を固定金具３１で天井下地材２に固定し、また、配管用可撓管２３を結束バンド３２により天井下地材２に固定した場合を示したが、これらの固定手段は上記に限定するものではなく、針金等の線状体によって締付けるなど適宜の固定手段を用いることができる。さらに、固定腕１８の外径をエルボ２５の外径と同じにしておけば、固定金具３１を多種類用意する必要がなく、取付け作業も容易である。
【００２３】
［実施形態２］
図４は本発明の実施形態２の要部を示す説明図、図５は図４の一部平面図である。なお、実施形態１と同じ部分にはこれと同じ符号を付し、説明を省略する。本実施形態においては、給水配管１１は、天井下地材２上に載置されて結束バンド３２により固定されており、また、この給水配管１１に設けた分岐管１２の接続口１３の開口部外周にはフランジ１４が設けられている。
【００２４】
３５はヘッダで、図６に示すように、先端部が閉塞された筒状のヘッダ本体３６と、その基部外周に設けた複数のボルト挿通穴３７ａを有するフランジ３７と、ヘッダ本体３６の側壁に所定の間隔で設けた複数の排出口３８ａ，３８ｂ，３８ｃ，３８ｄ（以下、単に３８と記すことがある）とからなっている。なお、この排出口３８は、ヘッダ３５の両側にそれぞれ複数個設けてもよい。
【００２５】
上記のようなヘッダ３５は、そのフランジ３７が分岐管１２のフランジ１４に接合され、給水配管１１と直交し、かつほぼ水平に設置される。なお、エルボ２５の取付けや配管用可撓管２３の接続及び天井下地材２への固定は、実施形態１の場合と同様なので、説明を省略する。
【００２６】
本実施形態においては、給水配管１１を天井スラブ１の下方において四方八方にはりめぐらされた天井下地材２に固定するようにしたので、位置決めが容易であり、所定の位置に強固かつ安定して設置される。また、ヘッダ３５をほぼ水平に設置したので、スプリンクラ消火設備全体の高さを低く抑えることができ、このため、スラブ１と天井材３との間隔が狭い場合にも実施することができる。
【００２７】
また、ヘッダ３５に多数の配管用可撓管２３を接続する場合は、前述のようにヘッダ本体３６の両側に排出口３８を設ければよく、さらに多くの配管用可撓管２３を接続する場合は、図７に示すように、両端部にフランジ３７を有するヘッダ３５ａと、図６に示すようなヘッダ３５を軸方向に連設してもよい。
【００２８】
ところで、ヘッダ３５は分岐管１２により片持ち状態で支持されているため、その先端部が下降し易く、特に、複数のヘッダ３５，３５ａを連接した場合は、その傾向が著しい。
このような場合は、ヘッダ３５の先端部、又は連接したヘッダ３５，３５ａの中央部や先端部を、天井下地材２に固定された固定手段である固定具３３（図８、図９参照）により固定し、あるいは、天井スラブ１から垂下した吊り金具により支持するようにすればよい。
【００２９】
［実施形態３］
図８は本発明の実施形態３の要部の平面図、図９はその正面図である。実施形態２では、分岐管１２とヘッダ３５をフランジ１４，３７で接合した場合を示したが、本実施形態は、両者の間を実施形態１で説明した可撓管２１で接続すると共に、ヘッダ３５の両端部近傍を、両端部が天井下地材２に固定された固定具３３で固定するようにしたものである。なお、ヘッダ３５の天井下地材２への固定は１か所だけでもよい。また、固定具３３の構造は図示のものに限定するものではなく、適宜変更することができ、単に下方から支持するだけでもよい。
【００３０】
本実施形態の効果も実施形態２の場合とほぼ同様であるが、分岐管１２とヘッダ３５とを可撓管２１で接続したので、ヘッダ３５の位置決めが容易であり、また、分岐管１２の取付位置を変えることなくヘッダ３５を移動することができる。
【００３１】
【発明の効果】
本発明は、給水配管と、複数の排出口を有し給水配管に接続されるヘッダと、ヘッダの排出口に配管用可撓管を介して接続されるスプリンクラヘッドとを備えたスプリンクラ消火設備において、ヘッダに突設された固定腕を設け、この固定腕を天井下地材に当接して固定腕によりヘッダを天井下地材に固定するようにしたので、通常時や放水時にヘッダが動くことがない。
【図面の簡単な説明】
【図１】本発明の実施形態１の要部の説明図である。
【図２】一部を断面で示した図１のヘッダの平面図である。
【図３】ヘッダの他の例の正面図である。
【図４】本発明の実施形態２の要部の説明図である。
【図５】図４の一部の平面図である。
【図６】一部を断面で示した図４のヘッダの平面図である。
【図７】ヘッダの他の例の平面図である。
【図８】本発明の実施形態３の要部の平面図である。
【図９】図８の正面図である。
【符号の説明】
１  天井スラブ
２  天井下地材
３  天井面材
１１  給水配管
１２  分岐管
１５，３５  ヘッダ
１７ａ〜１７ｄ、３８ａ〜３８ｄ  排出口
２１  可撓管
２３  配管用可撓管
２５  エルボ
２７  スプリンクラヘッド
３１  固定金具
３２  結束バンド
３３  固定具
【図１】
0003608367.tif 000002
【図２】
0003608367.tif 000003
【図３】
0003608367.tif 000004
【図４】
0003608367.tif 000005
【図５】
0003608367.tif 000006
【図６】
0003608367.tif 000007
【図７】
0003608367.tif 000008
【図８】
0003608367.tif 000009
【図９】
0003608367.tif 000010